(57)【要約】地面で移動可能且つ昇降装置を有するフレーム（１）を備えたリンクトランスミッションリフトであって、前記昇降装置はローディングプレート（４）と連結されていると同時に、リフトアーム（２１）を備え、リフトアームの一端は４バーリンク機構（２３）に連結され、他端は前記フレームに可動的に連結され、前記フレームは二つの立柱、一つのビーム及び水平底座を含み、二つの４バーリンク機構は立柱に設置され、前記機構はそれぞれローディングプレート、リフトアームに連結される。本発明に係る装置は良好な指向性と柔軟性を有し、片持ち梁式ローディングプレート構造を採用しているため、特に二階建て車庫の分野に適応する。
2010521390.tif 000002
【特許請求の範囲】
【請求項１】
地面で移動可能フレーム（１）を備え、前記フレームの上部には昇降装置が設けられ、前記昇降装置はリフト動力ボックスを有するリフトアーム（２１）を備え、前記リフトアーム（２１）第１端のピンは前記フレーム（１）に連結され、前記リフトアーム（２１）の第２端はリンク機構に連結されているリンクトランスミッションリフトであって、
a.前記フレーム（１）は、左右両側に対称的に配置され且つ垂直ガイドレール（１１１）を有する立柱（１１）と、前記立柱（１１）と垂直に連結されている水平底座（１２）とを備え、前記左右両側の立柱（１１）の間には連結ビームが設けられており、
b.前記リンク機構は二つの４バーリンク機構（２３）により構成され、前記二つの４バーリンク機構（２３）はそれぞれ前記左右両側の立柱（１１）に連結さられるとともに、それぞれローディングプレート（４）、前記リフトアーム（２１）に連結され、
c.前記ローディングプレート（４）の第１端と前記４バーリンク機構（２３）はそれぞれ前記立柱の垂直ガイドレール（１１１）に沿って可動的に連結されている、ことを特徴とするリンクトランスミッションリフト。
【請求項２】
前記４バーリンク機構（２３）は、前記リフトアーム（２１）に連結されている第一リンク（２３１）と、第１端が前記ローディングプレート（４）に可動的に連結されている第二リンク（２３２）と、第１端が前記第二リンク（２３２）第２端に可動的に連結されている第三リンク（２３３）と、前記第三リンク（２３３）の第２端に可動的に連結されている第四リンク（２３４）とを備え、前記第四リンク（２３４）の両端にはそれぞれ上ローラー（５）と下ローラー（６）が設けられ、前記上ローラー（５）、前記下ローラー（６）は前記フレームの垂直ガイドレール（１１１）に装着されるとともに、前記フレームの垂直ガイドレール（１１１）とスライド可能に係合されている、
ことを特徴とする請求項１に記載のリンクトランスミッションリフト。
【請求項３】
前記上ローラー（５）は、前記第三リンク（２３３）の第２端に可動的に連結され、前記下ローラー（６）は前記ローディングプレート（４）一端のピンに連結されている、ことを特徴とする請求項２に記載のリンクトランスミッションリフト。
【請求項４】
前記第二リンク（２３２）は、前記ローディングプレート（４）の中部に可動的に連結されている、ことを特徴とする請求項２に記載のリンクトランスミッションリフト。
【請求項５】
前記第二リンク（２３２）の第２端は前記第一リンク（２３１）第１端のピンに連結されている、ことを特徴とする請求項２に記載のリンクトランスミッションリフト。
【請求項６】
前記リフトアーム（２１）の第１端は前記第一リンク（２３１）の中部に可動的に連結され、前記リフトアーム（２１）の第２端は前記フレーム（１）に配置された昇降装置取付ラックのピンに連結されている、ことを特徴とする請求項２に記載のリンクトランスミッションリフト。
【請求項７】
前記立柱（１１）は前記立柱（１１）の内側に設けられている支持部材（１１２）を介して前記第一リンク（２３１）可動的に連結されている、ことを特徴とする請求項２に記載のリンクトランスミッションリフト。
【請求項８】
前記フレーム（１）には地面で移動可能な装置が設置されている、ことを特徴とする請求項１に記載のリンクトランスミッションリフト。
【発明の詳細な説明】
【技術分野】
【０００１】
本発明は昇降機械の分野に関し、特に一部外形が複雑な物件または各種車輌を昇降させるリンクトランスミッションリフトに関する。本発明は、倉庫、港など室内外の多様な場所で物件と各種の車輌を昇降させるのに適し、特に住宅地及び公共駐車場の二階建て車庫で各種の車輌を保管する際に適する。
【背景技術】
【０００２】
目下、倉庫、港で物体及び車輌を昇降させる機器のうち、大多数は各種のクレーン又はフォークリフト等の荷役機械を採用している。多くの場合は、これらの機器で全ての使用要求を満たすことができる。しかし、一部専門的な吊具で吊り上げ、且つ縄で縛って締め付けるべき物件、各種車輌の昇降及び短距離輸送に対し、前記機械は比較的に面倒である。
【０００３】
今現在、自動車工業の迅速な発展に伴い、大量の車輌が生産された後、輸送と保管が必要である。既存の方法では、水路輸送又は陸地道路及び鉄道輸送において専用の自動車或いは車両を利用しており、輸送される車輌を一台一台前記輸送器具に運搬且つ昇降させる前に専門の車両吊具と縄及びストッパー等で位置決め、縄で縛って締め付ける方法で車輌を固定する必要があり、このような車輌の昇降と短距離輸送の方法は操作が複雑で、輸送効率が低く、輸送過程で安全面での危険が存在している。
【発明の概要】
【０００４】
本発明の目的は、前記従来技術に存在する問題を解決するため、マルチリンクトランスミッション及び移動可能なスタンドを採用したリンクトランスミッションリフトを提供することにある。
【０００５】
上述した問題点を解消するため、本発明の技術案は以下の通りである。前記リンクトランスミッションリフトは地面上で移動可能なフレームを備え、前記フレームの上部には昇降装置が設けられ、前記昇降装置は動力ボックスを有するリフトアームを備え、前記リフトアームの一端のピンは前記フレームに連結され、前記リフトアームの他端はリンク機構に連結され、前記フレームは左右両側に対称的に配置され、且つ垂直ガイドレールを有する立柱及び前記立柱と垂直的に連結されている水平底座を備え、前記左右両側の立柱の間に連結ビームが設けられ、前記リンク機構は４バーリンク機構に設置され、前記４バーリンク機構は前記左右両側の立柱に設置されるとともに、それぞれ前記ローディングプレート、前記リフトアームに連結され、前記ローディングプレートの一端と前記４バーリンク機構の一端はそれぞれ前記立柱の垂直ガイドレールに沿って移動、且つ連結されている。
【０００６】
前記４バーリンク機構は前記リフトアームに連結されている第一リンク、前記ローディングプレートに可動的に連結されている第二リンク、前記第二リンクの他端に可動的に連結されている第三リンク及び前記第三リンクの他端に可動的に連結されている第四リンクを備え、前記第四リンクの両端にはそれぞれ上ローラーと下ローラーが設けられ、前記上ローラー、前記下ローラーは前記フレームの垂直ガイドに装着されると同時に、前記フレームの垂直ガイドレールとスライド係合する。
【０００７】
前記４バーリンク機構は前記ローディングプレートの平穏且つ安全な上下の昇降動作の実現を可能にする。前記上ローラー、前記下ローラーは前記フレームの垂直ガイドレールにてスライド係合することで、前記ローディングプレートの上下移動の良好な方向性と移動柔軟性を保証させ、前記ローディングプレートに載せてある物品又は車輌が左右又は前後に揺れないようにする。
【０００８】
前記上ローラーは前記第三リンクの一端に可動的に連結され、前記下ローラーは前記ローディングプレートの一端に可動的に連結され、前記第三リンクは前記ローディングプレートの上下スライドをガイドするのに用いられる。
【０００９】
前記第二リンクは前記ローディングプレートの中部ピンと可動的に連結されることで、片持ち梁式ローディングプレートの構造を形成する。前記片持ち梁式ローディングプレートは二階建て車庫で車輌を昇降と移動させる場合に適し、前記車輌が車庫に出入りするために必要な車庫前の面積を減少させることができる。前記第二リンクの他端は前記第一リンク一端のピンと可動的に連結することにより、動力を前記第一リンクから前記第二リンクに伝達する。
【００１０】
前記リフトアームの一端は前記第一リンクの中部ピンと可動的に連結して前記リフトアームの原動力を前記第一リンクに伝達し、前記リフトアームの他端は前記フレームに配置された昇降装置取付ラックのピンに可動的に連結され、前記昇降装置の取付ラックを通じて前記リフトアームの作業パワーを前記フレームに安定的に伝達する。
【００１１】
前記立柱は前記立柱の一側に設けられた支持部材を介して前記第一リンクのピンと可動的に連結され、前記支持部材は前記立柱の本体に直接作用する前記第一リンクの作用力を減少させることで、前記立柱が長期作業中良好な構造剛性を有するようにし、且つ使用寿命を向上させるのに用いる。
【００１２】
既存の技術に比べ、本発明は下記の利点がある。１、車載板の昇降が良好な方向性と移動柔軟性を有し、昇降動作が安全かつ確実である。２、片持ち梁式ローディングプレートの構造を採用しているため、構造が簡単で、特に二階建て車庫において車輌を昇降と移動させる場合に適し、前記車輌が車庫に出入りするために必要な車庫前の面積を減少させることができる。３、良好な構造剛性と使用寿命を有する。
【図面の簡単な説明】
【００１３】
【図１】図１は本発明の構造図である。
【図２】図２は本発明において片持ち梁式ローディングプレートを下置きにした場合の見取り図である。
【発明を実施するための形態】
【００１４】
本発明のリンクトランスミッションリフトは独特の移動可能なショートパターン水平底座構造のフレーム及びフレームに連結されている昇降装置を有する昇降可能な片持ち梁式ローディングプレートを設計した。
【００１５】
以下、図面及び実施例に合わせて本発明を更に詳しく説明する。
【００１６】
図１〜図２には本発明に係るリンクトランスミッションリフトの一実施例が示されている。前記トランスミッションリフトは地面で移動可能なフレーム１を備え、フレーム１は左右両側に対称的に配置された二つの立柱１１及び立柱１１と垂直に連結されている水平底座１２を含む。左右両側の立柱１１の間には連結ビームが設けられ、二つの立柱と連結ビームは門型フレームを形成する。
【００１７】
フレーム１の上部には昇降装置２が設けられる。昇降装置２は片持ち梁式ローディングプレート４に連結されている。片持ち梁式ローディングプレート４の両側は左右二つの垂直した立柱１１に連結されている。
【００１８】
昇降装置２はリフト動力ボックス２２を有するリフトアーム２１を備え、リフトアーム２１はマルチリンク機構２３に連結され、リフトアーム２１の他端は可動ピン７を介してフレーム１に連結されている。
立柱１１の一側には垂直ガイドレール１１１が設けられる。垂直ガイドレール１１１には上ローラー５と下ローラー６が配置されている。上ローラー５と下ローラー６は垂直ガイドレール１１１でスライド可能である。
【００１９】
上ローラー５は４バーリンク機構２３に連結されている。下ローラー６は片持ち梁式ローディングプレート４の端部に連結されている。上ローラー５は４バーリンク機構２３を通じて片持ち梁式ローディングプレート４の中部に連結されている。
フレーム１の下部には走行モーター及び其の伝動装置３１、伝動装置３１に連結されている走行輪１４を有する走行機構３が設けられる。
【００２０】
走行輪１４は水平底座１２の底面に設置されている。
【００２１】
リフト動力ボックス２２を有するリフトアーム２１は油圧で伝動するオイルシリンダープランジャー型リフトアームを採用することができ、伝動ギアボックスが噛合って連結される柱式スプラインアームを採用することもできる。
【００２２】
４バーリンク機構２３は立柱１１に固定的に装着されたピン８と可動的に連結されている第一リンク２３１を備え、第一リンク２３１の他端はピン９を介して第二リンク２３２と可動的に連結され、第二リンク２３２の他端はピン１０を介して第三リンク２３３と可動的に連結され、第二リンク２３２と第三リンク２３３はまたピン１０を介して片持ち梁式ローディングプレート４の中部に可動的に連結され、第三リンクは前記ローディングプレートの上下スライドをガイドするのに用いられる。第三リンク２３３の他端は上ローラー５を介して第四リンク２３４と可動的に連結され、第四リンク２３４の下端は下ローラー６に可動的に連結され、即ち第四リンク３４の動きはそれに連結されている上ローラー５及び下ローラー６を介して垂直ガイドレール１１１における上下スライドに限定され、片持ち梁式ローディングプレート４の昇降動作時に方向ガイドを行うことができる。４バーリンク機構はローディングプレートの平穏且つ安全な昇降動作を実現することが可能となる。上ローラー、下ローラーはフレームの垂直ガイドレールにおいてスライド係合することにより、ローディングプレートの上下移動時の良好な方向性と移動柔軟性を保証させ、ローディングプレートに載せてある物品又は車輌が左右又は前後に揺れないようにする。
【００２３】
第一リンク２３１の一端はピン８を介して立柱１１の上端に連結されている。
【００２４】
第三リンク２３３はピン１０を介して片持ち梁式ローディングプレート４の中部に連結されることで、片持ち梁式ローディングプレートを形成する。片持ち梁式ローディングプレート構造は特に二階建て車庫において車輌を昇降と移動させる場合に適し、車輌が車庫に出入りするために必要な車庫前の面積を減少させることができる。
【００２５】
第一リンク２３１の一端と立柱１１の上端を連結するピン８は、支持部材１１２に形成されている。支持部材１１２は立柱の本体に直接作用する第一リンクの作用力を減少させることで、立柱の構造剛性と使用寿命を向上させるのに用いる。
【００２６】
片持ち梁式ローディングプレート４の昇降動作はフレーム１に配置したリフト動力ボックス２２を有するリフトアーム２１で４バーリンク機構２３を動かし、４バーリンク機構２３がまた片持ち梁式ローディングプレート４を動かして実現し、片持ち梁式ローディングプレート４を立柱の垂直ガイドレールに沿って上下移動させる。ここで、垂直ガイドレールが片持ち梁式ローディングプレートの上下昇降運動のガイド機能を発揮しているため、片持ち梁式ローディングプレートが垂直ガイドレールに沿って移動する時の昇降動作を安定、安全、確実にさせる。
【００２７】
本発明のリンクトランスミッションリフトは、特に一部外形が複雑な物件や各種の車輌の昇降に対し、専門的な吊具及び縄で縛って締め付ける工程が必要なく、安定且つ安全に昇降及び短距離輸送を実現することができ、昇降効率が高く、安全且つ確実で、操作及び使用過程が比較的に簡単である。
【図１】
2010521390.tif 000003
【図２】
2010521390.tif 000004
【国際調査報告】
2010521390.tif 000005
2010521390.tif 000006
2010521390.tif 000007
2010521390.tif 000008
2010521390.tif 000009
2010521390.tif 000010
2010521390.tif 000011
2010521390.tif 000012